(57)【要約】【課題】ユーザの利便性を確保しつつ、かつ著作権者の保護を図りながら、地上デジタルラジオ放送によって放送される楽曲を保存する技術を提供することを課題とする。【解決手段】放送信号５０には、楽曲信号５１と非楽曲信号５２が含まれる。楽曲信号５１には先頭に先頭フラグ（FlagTM）が多重され、終端に終端フラグ（FlagEM）が多重されている。受信装置は、放送信号５０をテンポラリメモリ（リングメモリ）に常時記録している。ユーザから放送中の楽曲の保存指示を受けると、放送中の楽曲をテンポラリメモリに全て記録し、先頭フラグから終端フラグまでを上書き禁止にする。そして、楽曲信号５１に含まれる課金アクセス情報（CreditP）に従い、ネットワーク経由でサーバにアクセスして課金処理を実行する。課金処理が実行されると、テンポラリメモリに記録していた楽曲を保存用のメモリカードにコピーする。【選択図】図３
2008092427.tif 000002
【特許請求の範囲】
【請求項１】
１セグメント方式の地上デジタルラジオ放送を受信して、楽曲を保存する方法であって、
a)楽曲の先頭および終端フラグを含む放送信号をリングメモリに常時記録する工程と、
b)楽曲の受信中に保存指示を受けた場合、当該楽曲の終端フラグを受信するまで当該楽曲をリングメモリに記録する工程と、
c)前記工程b)でリングメモリに記録された楽曲を保存用メモリに保存する工程と、
を備えることを特徴とする地上デジタルラジオの楽曲保存方法。
【請求項２】
請求項１に記載の地上デジタルラジオの楽曲保存方法において、
前記工程b)で終端フラグまで楽曲を記録したとき、楽曲の先頭フラグ位置から終端フラグ位置まで、リングメモリに対する上書きを禁止することを特徴とする地上デジタルラジオの楽曲保存方法。
【請求項３】
請求項１または請求項２に記載の地上デジタルラジオの楽曲保存方法において、
前記工程c)は、楽曲に対する課金処理が実行された場合に、楽曲を保存用メモリに保存することを特徴とする地上デジタルラジオの楽曲保存方法。
【請求項４】
請求項３に記載の地上デジタルラジオの楽曲保存方法において、
放送信号に、課金処理を実行するためのネットワークアドレス情報が含まれており、ネットワーク経由で、課金処理が実行されることを特徴とする地上デジタルラジオの楽曲保存方法。
【請求項５】
請求項２に記載の地上デジタルラジオの楽曲保存方法において、さらに、
d)前記工程c)において、楽曲を保存用メモリに保存した後、リングメモリの上書き禁止を解除する工程、
を備え、
前記工程d)の後、再び工程a)に戻り、リングメモリに対する常時記録が行われることを特徴とする地上デジタルラジオの楽曲保存方法。
【請求項６】
請求項３に記載の地上デジタルラジオの楽曲保存方法において、
課金処理には、楽曲に設定されたコピーワンス状態の解除権購入処理が含まれていることを特徴とする地上デジタルラジオの楽曲保存方法。
【請求項７】
請求項１ないし請求項５のいずれかに記載の地上デジタルラジオの楽曲保存方法において、
放送信号に、コピーワンス状態の解除を実行するめのネットワークアドレス情報が含まれており、ネットワーク経由で所定の手続きを経ることにより、コピーワンス解除キーがダウンロードされることを特徴とする地上デジタルラジオの楽曲保存方法。
【請求項８】
１セグメント方式の地上デジタルラジオ放送を受信して、楽曲を保存する方法であって、
a)放送信号から楽曲の先頭フラグを検知すると、その楽曲の終端フラグを検知するまで当該楽曲を一時記憶メモリに記録する工程と、
b)次の楽曲の先頭フラグが検知されるまでの間に保存指示を受けた場合、前記工程a)で記録された楽曲を保存用メモリに保存する工程と、
を備えることを特徴とする地上デジタルラジオの楽曲保存方法。
【請求項９】
請求項８に記載の地上デジタルラジオの楽曲保存方法において、
前記工程b)は、
保存指示を受けたとき、一次記憶メモリに格納されている楽曲の先頭フラグ位置から終端フラグ位置までを上書き禁止に設定する工程、
を含むことを特徴とする地上デジタルラジオの楽曲保存方法。
【請求項１０】
請求項８または請求項９に記載の地上デジタルラジオの楽曲保存方法において、
前記工程b)は、保存指示を受けた後、楽曲に対する課金処理が実行された場合に、楽曲を保存用メモリに保存することを特徴とする地上デジタルラジオの楽曲保存方法。
【請求項１１】
請求項１０に記載の地上デジタルラジオの楽曲保存方法において、
放送信号に、課金処理を実行するためのネットワークアドレス情報が含まれており、ネットワーク経由で、課金処理が実行されることを特徴とする地上デジタルラジオの楽曲保存方法。
【請求項１２】
請求項８ないし請求項１１のいずれかに記載の地上デジタルラジオの楽曲保存方法において、
保存指示を受けることなく次の楽曲の先頭フラグを検知した場合、一次記憶メモリに新しい楽曲を上書きすることを特徴とする地上デジタルラジオの楽曲保存方法。
【請求項１３】
請求項９に記載の地上デジタルラジオの楽曲保存方法において、さらに、
c)前記工程b)において、楽曲を保存用メモリに保存した後、一次記憶メモリの上書き禁止を解除する工程、
を備えることを特徴とする地上デジタルラジオの楽曲保存方法。
【請求項１４】
請求項８ないし請求項１３のいずれかに記載の地上デジタルラジオの楽曲保存方法において、
前記工程a)は、複数の一次記憶メモリを利用し、各１次記憶メモリに１曲ずつ楽曲を記録し、
前記工程b)は、
b-1)保存指示を受けたとき、いずれの一次記憶メモリに記録されている楽曲を保存するかをユーザに選択させる工程と、
b-2)ユーザによって選択された楽曲を保存用メモリに保存する工程と、
を含むことを特徴とする地上デジタルラジオの楽曲保存方法。
【請求項１５】
請求項１４に記載の地上デジタルラジオの楽曲保存方法において、
放送信号には、楽曲ごとに楽曲情報が含まれており、
前記工程b-1)は、保存指示を受けたとき、各一次記憶メモリに記録されている楽曲の楽曲情報を表示することで、いずれの楽曲を保存するかをユーザに選択させることを特徴とする地上デジタルラジオの楽曲保存方法。
【請求項１６】
請求項１０に記載の地上デジタルラジオの楽曲保存方法において、
課金処理には、楽曲に設定されたコピーワンス状態の解除権購入処理が含まれていることを特徴とする地上デジタルラジオの楽曲保存方法。
【請求項１７】
請求項８ないし請求項１５のいずれかに記載の地上デジタルラジオの楽曲保存方法において、
放送信号に、コピーワンス状態の解除を実行するめのネットワークアドレス情報が含まれており、ネットワーク経由で所定の手続きを経ることにより、コピーワンス解除キーがダウンロードされることを特徴とする地上デジタルラジオの楽曲保存方法。
【請求項１８】
１セグメント方式の地上デジタルラジオ放送を受信して、放送データを保存する方法であって、
a)放送信号から所定の信号の先頭フラグを検知すると、所定の信号の終端フラグを検知するまで当該所定の信号をリングメモリに記録する工程と、
b)所定の信号の保存指示を受けた場合、リングメモリに記録された所定の信号を保存用メモリに保存する工程と、
を備えることを特徴とする地上デジタルラジオの放送データ保存方法。
【請求項１９】
請求項１８に記載の地上デジタルラジオの放送データ保存方法において、
前記所定の信号は、楽曲を紹介するＤＪの音声信号あるいはＣＭ信号を含むことを特徴とする地上デジタルラジオの放送データ保存方法。
【請求項２０】
放送信号に含まれる楽曲信号の先頭および終端にフラグを多重させることを特徴とする１セグメント方式の地上デジタルラジオ送信方法。
【請求項２１】
請求項２０に記載の１セグメント方式の地上デジタルラジオ送信方法において、
放送信号に含まれる楽曲信号に、当該楽曲購入の課金手続きを行うためのネットワークアドレス情報を多重させることを特徴とする１セグメント方式の地上デジタルラジオ送信方法。
【発明の詳細な説明】
【技術分野】
【０００１】
本発明は、地上デジタルラジオ放送で放送された楽曲を保存する技術に関する。
【背景技術】
【０００２】
地上デジタルラジオ放送のサービス開始に向けて調整が進められている。地上デジタルラジオ放送はＣＤ並みの高品質音声に加えて、文字データ、画像データなどを放送できるなど、多様なサービスを提供できる新しい放送形態である。
【０００３】
下記特許文献１は、デジタルラジオ放送の受信装置に関するものである。この受信装置は、放送信号に含まれる付加情報から音楽のジャンルを特定し、ジャンルに適した設定で受信した音楽を再生するようにしている。このように、デジタルラジオ放送においては、従来のアナログラジオ放送と違って、様々な付加情報を受信装置で受信することが可能であり、ユーザに対して様々なサービスを展開することが可能である。
【０００４】
【特許文献１】特開２００６−１０９２３３号公報
【発明の開示】
【発明が解決しようとする課題】
【０００５】
地上デジタルラジオ放送により送信される楽曲は、高音質である。したがって、その楽曲を保存して聴きたいというユーザの要望も高くなるであろう。しかし、地上デジタルラジオ放送は、その高音質ゆえ、自由なコピーを許してしまうと、著作権者などの権利が守られないという問題が発生する。
【０００６】
つまり、従来のアナログラジオ放送では、ユーザがエアチェックした楽曲の音質は、それ程高いものではなかった。したがって、そのエアチェックされた楽曲のコピーが出回り、レコードやＣＤの売上げに影響するというケースはあまり考えられなかった。しかし、地上デジタルラジオ放送については、その点を充分に考慮する必要がある。
【０００７】
また、従来のアナログラジオ放送におけるエアチェック操作というものは、決して利便性のよいものではなかった。つまり、基本的には、楽曲の録音開始と録音終了はユーザの操作に依存しているため、ユーザにとっては面倒な操作であった。番組放送を全部録音した場合であっても、後で編集する作業が必要である。
【０００８】
そこで、ユーザの利便性を確保しつつ、かつ著作権者の保護を図りながら、地上デジタルラジオ放送によって放送される楽曲を保存する技術を提供することを目的とする。
【課題を解決するための手段】
【０００９】
上記課題を解決するため、請求項１記載の発明は、１セグメント方式の地上デジタルラジオ放送を受信して、楽曲を保存する方法であって、a)楽曲の先頭および終端フラグを含む放送信号をリングメモリに常時記録する工程と、b)楽曲の受信中に保存指示を受けた場合、当該楽曲の終端フラグを受信するまで当該楽曲をリングメモリに記録する工程と、c)前記工程b)でリングメモリに記録された楽曲を保存用メモリに保存する工程と、を備えることを特徴とする。
【００１０】
請求項２記載の発明は、請求項１に記載の地上デジタルラジオの楽曲保存方法において、前記工程b)で終端フラグまで楽曲を記録したとき、楽曲の先頭フラグ位置から終端フラグ位置まで、リングメモリに対する上書きを禁止することを特徴とする。
【００１１】
請求項３記載の発明は、請求項１または請求項２に記載の地上デジタルラジオの楽曲保存方法において、前記工程c)は、楽曲に対する課金処理が実行された場合に、楽曲を保存用メモリに保存することを特徴とする。
【００１２】
請求項４記載の発明は、請求項３に記載の地上デジタルラジオの楽曲保存方法において、放送信号に、課金処理を実行するためのネットワークアドレス情報が含まれており、ネットワーク経由で、課金処理が実行されることを特徴とする。
【００１３】
請求項５記載の発明は、請求項２に記載の地上デジタルラジオの楽曲保存方法において、さらに、d)前記工程c)において、楽曲を保存用メモリに保存した後、リングメモリの上書き禁止を解除する工程、を備え、前記工程d)の後、再び工程a)に戻り、リングメモリに対する常時記録が行われることを特徴とする。
【００１４】
請求項６記載の発明は、請求項３に記載の地上デジタルラジオの楽曲保存方法において、課金処理には、楽曲に設定されたコピーワンス状態の解除権購入処理が含まれていることを特徴とする。
【００１５】
請求項７記載の発明は、請求項１ないし請求項５のいずれかに記載の地上デジタルラジオの楽曲保存方法において、放送信号に、コピーワンス状態の解除を実行するめのネットワークアドレス情報が含まれており、ネットワーク経由で所定の手続きを経ることにより、コピーワンス解除キーがダウンロードされることを特徴とする。
【００１６】
請求項８記載の発明は、１セグメント方式の地上デジタルラジオ放送を受信して、楽曲を保存する方法であって、a)放送信号から楽曲の先頭フラグを検知すると、その楽曲の終端フラグを検知するまで当該楽曲を一時記憶メモリに記録する工程と、b)次の楽曲の先頭フラグが検知されるまでの間に保存指示を受けた場合、前記工程a)で記録された楽曲を保存用メモリに保存する工程と、を備えることを特徴とする。
【００１７】
請求項９記載の発明は、請求項８に記載の地上デジタルラジオの楽曲保存方法において、前記工程b)は、保存指示を受けたとき、一次記憶メモリに格納されている楽曲の先頭フラグ位置から終端フラグ位置までを上書き禁止に設定する工程、を含むことを特徴とする。
【００１８】
請求項１０記載の発明は、請求項８または請求項９に記載の地上デジタルラジオの楽曲保存方法において、前記工程b)は、保存指示を受けた後、楽曲に対する課金処理が実行された場合に、楽曲を保存用メモリに保存することを特徴とする。
【００１９】
請求項１１記載の発明は、請求項１０に記載の地上デジタルラジオの楽曲保存方法において、放送信号に、課金処理を実行するためのネットワークアドレス情報が含まれており、ネットワーク経由で、課金処理が実行されることを特徴とする。
【００２０】
請求項１２記載の発明は、請求項８ないし請求項１１のいずれかに記載の地上デジタルラジオの楽曲保存方法において、保存指示を受けることなく次の楽曲の先頭フラグを検知した場合、一次記憶メモリに新しい楽曲を上書きすることを特徴とする。
【００２１】
請求項１３記載の発明は、請求項９に記載の地上デジタルラジオの楽曲保存方法において、さらに、c)前記工程b)において、楽曲を保存用メモリに保存した後、一次記憶メモリの上書き禁止を解除する工程、を備えることを特徴とする。
【００２２】
請求項１４記載の発明は、請求項８ないし請求項１３のいずれかに記載の地上デジタルラジオの楽曲保存方法において、前記工程a)は、複数の一次記憶メモリを利用し、各１次記憶メモリに１曲ずつ楽曲を記録し、前記工程b)は、b-1)保存指示を受けたとき、いずれの一次記憶メモリに記録されている楽曲を保存するかをユーザに選択させる工程と、b-2)ユーザによって選択された楽曲を保存用メモリに保存する工程と、を含むことを特徴とする。
【００２３】
請求項１５記載の発明は、請求項１４に記載の地上デジタルラジオの楽曲保存方法において、放送信号には、楽曲ごとに楽曲情報が含まれており、前記工程b-1)は、保存指示を受けたとき、各一次記憶メモリに記録されている楽曲の楽曲情報を表示することで、いずれの楽曲を保存するかをユーザに選択させることを特徴とする。
【００２４】
請求項１６記載の発明は、請求項１０に記載の地上デジタルラジオの楽曲保存方法において、課金処理には、楽曲に設定されたコピーワンス状態の解除権購入処理が含まれていることを特徴とする。
【００２５】
請求項１７記載の発明は、請求項８ないし請求項１５のいずれかに記載の地上デジタルラジオの楽曲保存方法において、放送信号に、コピーワンス状態の解除を実行するめのネットワークアドレス情報が含まれており、ネットワーク経由で所定の手続きを経ることにより、コピーワンス解除キーがダウンロードされることを特徴とする。
【００２６】
請求項１８記載の発明は、１セグメント方式の地上デジタルラジオ放送を受信して、放送データを保存する方法であって、a)放送信号から所定の信号の先頭フラグを検知すると、所定の信号の終端フラグを検知するまで当該所定の信号をリングメモリに記録する工程と、b)所定の信号の保存指示を受けた場合、リングメモリに記録された所定の信号を保存用メモリに保存する工程と、を備えることを特徴とする。
【００２７】
請求項１９記載の発明は、請求項１８に記載の地上デジタルラジオの放送データ保存方法において、前記所定の信号は、楽曲を紹介するＤＪの音声信号あるいはＣＭ信号を含むことを特徴とする。
【００２８】
請求項２０記載の発明は、放送信号に含まれる楽曲信号の先頭および終端にフラグを多重させることを特徴とする１セグメント方式の地上デジタルラジオ送信方法である。
【００２９】
請求項２１記載の発明は、請求項２０に記載の１セグメント方式の地上デジタルラジオ送信方法において、放送信号に含まれる楽曲信号に、当該楽曲購入の課金手続きを行うためのネットワークアドレス情報を多重させることを特徴とする。
【発明の効果】
【００３０】
本発明の地上デジタルラジオの楽曲保存方法は、楽曲の先頭および終端フラグを含む放送信号をリングメモリに常時記録する。そして、保存指示を受けると、楽曲の終端フラグを受信するまで当該楽曲をリングメモリに記録し、リングメモリに記録された楽曲を保存用メモリに保存する。これにより、ユーザは、放送されている楽曲を聴きながら、その曲を保存したくなった場合には、保存指示を行うだけでよい。先頭および終端フラグに基づいて１曲分の楽曲がメモリカードに保存されるので、利便性がよい。
【００３１】
また、本発明では、課金処理が実行された後に、メモリカードに楽曲が保存される。これにより、著作権者等の権利が保護される。
【００３２】
さらに、課金処理を行うためのアドレス情報が楽曲信号に多重されているので、受信装置が、そのままサーバにアクセスして課金処理を実行することが可能である。
【００３３】
また、本発明の楽曲保存方法は、放送信号から楽曲の先頭フラグを検知すると、その楽曲の終端フラグを検知するまで当該楽曲を一時記憶メモリに記録し、次の楽曲の先頭フラグが検知されるまでの間に保存指示を受けた場合、記録された楽曲を保存用メモリに保存する。これにより、ユーザは、放送されている楽曲を聴きながら、あるいは聴いた後に、その曲を保存したくなった場合には、保存指示を行うだけでよい。先頭および終端フラグに基づいて１曲分の楽曲がメモリカードに保存されるので、利便性がよい。
【発明を実施するための最良の形態】
【００３４】
｛第１の実施の形態｝
以下、図面を参照しつつ本発明の第１の実施の形態について説明する。図１は、地上デジタルラジオ放送のシステム全体図である。放送局１から送信された地上デジタルラジオ放送は、受信装置２によって受信される。受信装置２は、地上デジタルラジオ放送を受信する専用端末であってもよいし、地上デジタルラジオ放送の受信機能を備えた携帯電話機などであってもよい。
【００３５】
受信装置２は、図に示すように、アンテナ２１、受信部２２、制御部２３、操作部２４、モニタ２５、スピーカ２６、テンポラリメモリ２７、メモリカードスロット２８を備えている。図では、メモリカードスロット２８にメモリカード２９が挿入されている様子を示している。
【００３６】
受信部２２は、チューナ部２２１およびデコード部２２２を備えている。チューナ部２２１は、アンテナ２１を介して受信した地上デジタルラジオの放送信号から所定のチャンネルの信号を受信して、デコード部２２２に出力する。デコード部２２２は、ＯＦＤＭ（Orthogonal Frequency Division Multiplexing）変調されている放送信号を復調し、また、圧縮されている音声信号などをデコードする。
【００３７】
なお、地上デジタルラジオ放送には、ＶＨＦ帯の１セグメントを利用する放送形式と、３セグメントを利用する形式とが存在するが、本発明は、１セグメント方式の放送信号を受信する場合に主に利用可能な発明である。つまり、３セグメント方式のデジタルラジオ受信においては、帯域幅が広いため、楽曲の一括ダウンロード処理などを比較的容易に行うことができる。本発明は、帯域幅の狭い１セグメント方式においても、効率よく楽曲を保存するための技術を提供するものである。
【００３８】
制御部２３は、受信部２２においてデコードされた放送信号を、スピーカ２６から出力する。これにより、ユーザは、地上デジタルラジオ放送を聴くことができる。また、デジタルラジオの放送信号には、各種の付加情報が多重されている。制御部２３は、これら付加情報をモニタ２５に表示させるのである。これによって、ユーザは、ラジオ放送を聴きながら、楽曲情報などを参照することが可能である。
【００３９】
図２は、テンポラリメモリ２７の記録形式を示す図である。テンポラリメモリ２７は、リングメモリとして使用される。つまり、制御部２３は、受信部２２においてデコードされた放送データを、テンポラリメモリ２７に常時記録するのである。まず、先頭のアドレスから順に放送データをテンポラリメモリ２７に記録していき、最終のアドレスまで達したら、再び、先頭のアドレスから放送データを上書き記録していくのである。テンポラリメモリ２７は、１曲分の楽曲データを一時的に記録する必要があるので、少なくとも１曲分を記録可能な程度の記憶サイズが必要である。たとえば、１０分間程度の放送データを記録可能な領域が必要である。
【００４０】
図３は、放送局１から送信される放送信号５０を示す図である。放送信号５０には、楽曲信号５１と、楽曲以外のＤＪの音声やＣＭなどが放送される非楽曲信号５２とが含まれる。
【００４１】
そして、本実施の形態においては、放送局１が備える送信装置は、楽曲信号５１の先頭部分に、先頭フラグ（FlagTM）を多重させ、楽曲信号５１の終端部分に終端フラグ（FlagEM）を多重させている。また、楽曲信号５１には、課金アクセス情報（CreditP）が多重されている。制御部２３は、これら多重されたフラグや付加情報を合わせてテンポラリメモリ２７に記録するのである。したがって、テンポラリメモリ２７に記録されている放送データの中で、先頭フラグ（FlagTM）と終端フラグ（FlagEM）の記録位置を確認することで、楽曲データの先頭位置と終端位置を特定することが可能である。
【００４２】
上述したように、まず、制御部２３は、受信部２２においてデコードされた放送データを、テンポラリメモリ２７に常時記録する。このとき、制御部２３は、テンポラリメモリ２７に対する放送データの記録を行いつつ、スピーカ２６から放送音声を出力している。したがって、ユーザは、地上デジタルラジオ放送を聴くことができる。
【００４３】
このような状態で、ユーザが、現在流れている楽曲を保存しようとする場合、操作部２４を操作して、保存指示を行うのである。制御部２３は、ユーザによって行なわれた保存指示を受け付けると、現在記録されている楽曲の上書き禁止処理を行う。
【００４４】
つまり、図４に示すように、先頭フラグ（FlagTM）が記録されている位置から楽曲データが開始されていることを特定し、先頭フラグ（FlagTM）の記録アドレスから現在の記録位置までのアドレスを上書き禁止にするのである。そして、さらに、現在受信している楽曲の終端フラグ（FlagEM）を検知するまで上書き記録を継続する。そして、先頭フラグ（FlagTM）から終端フラグ（FlagEM）までの領域を上書き禁止状態とするのである。あるいは、終端フラグ（FlagEM）を検知するまで上書き記録を実行した後、先頭フラグ（FlagTM）から終端フラグ（FlagEM）までの領域を上書き禁止に設定してもよい。
【００４５】
制御部２３は、終端フラグ（FlagEM）を検知すると、次に、ユーザに対して楽曲購入の意思を確認するメッセージをモニタ２５に表示させる。たとえば、「この曲を購入しますか？」といったメッセージを表示させる。
【００４６】
ユーザにより、購入を指示する操作が行われると、操作部２３は、課金アクセス情報（CreditP）から、課金処理のためにアクセスするサーバのネットワークアドレス情報を得る。そして、図１に示すように、制御部２３は、インターネットを経由してＷＷＷサーバ３にアクセスし、課金情報を送信するのである。このようにして課金情報が送信されると、後に、決済処理が行われ、放送局やレコード会社に売上金が分配されることになる。
【００４７】
ＷＷＷサーバ３に対して、課金情報が送信されると、制御部２３は、テンポラリメモリ２７に一時的に記録されている楽曲データを、メモリカード２９に保存するのである。つまり、先頭フラグ（FlagTM）と終端フラグ（FlagEM）によって特定される１曲分のデータをメモリカード２９に保存するのである。このようにして、ユーザは、地上デジタルラジオ放送で放送されていた楽曲データを、メモリカード２９に保存することが可能である。ユーザは、メモリカード２９に保存した楽曲を受信装置２においていつでも再生して楽しむことが可能である。あるいは、メモリカード２９を別の再生装置に挿入することによっても、保存した楽曲を楽しむことが可能である。
【００４８】
制御部２３は、テンポラリメモリ２７に記録されている楽曲データを、メモリカード２９に保存した後、テンポラリメモリ２７の上書き禁止を解除する。そして、再び、放送データの常時記録を開始するのである。このように、本実施の形態の受信装置２は、放送データを常時記録しつつ、楽曲の放送中にユーザによって行われた保存指示を受けて、現在受信中の楽曲を保存することを可能としている。そして、放送信号に含まれる楽曲部分は、先頭フラグ（FlagTM）と終端フラグ（FlagEM）によって特定されるので、ユーザは、煩雑な操作を行うことなく、保存指示を行うだけで、簡単に現在流れている楽曲をメモリカード２９に保存することが可能となる。
【００４９】
｛第２の実施の形態｝
次に、本発明の第２の実施の形態について説明する。図５は、第２の実施の形態に係る放送信号５０を示す図である。第２の実施の形態においても、放送局１が備える送信装置は、楽曲信号５１の先頭に先頭フラグ（FlagMU）を多重させ、楽曲信号５１の終端部分に終端フラグ（FlagME）を多重させている。また、楽曲信号５１には、課金アクセス情報（CreditP）が多重されている。
【００５０】
図６は、制御部２３によるテンポラリメモリ２７に対する放送データの記録方式を示す図である。第１の実施の形態においては、制御部２３は、放送データを常時記録したが、この実施の形態においては、楽曲データのみをテンポラリメモリ２７に記録する。
【００５１】
つまり、制御部２３は、ＤＪの音声やＣＭなどの非楽曲信号５２を受信している間は、スピーカ２６からの出力だけを行い、テンポラリメモリ２７には記録しない。そして、多重されている先頭フラグ（FlagMU）を検知した時点から、楽曲データをテンポラリメモリ２７に記録するのである。そして、終端フラグ（FlagME）を検知した時点で、テンポラリメモリ２７に対する記録を終了する。このように、楽曲部分だけがテンポラリメモリ２７に記録されるのである。
【００５２】
このような状態で、ユーザが、現在流れている楽曲あるいは、ちょっと前に流れた楽曲を保存しようとする場合、操作部２４を操作して、保存指示を行うのである。制御部２３は、ユーザによって行なわれた保存指示を受け付けると、その時点で、テンポラリメモリ２７に格納されている楽曲データの上書き禁止処理を行う。もし、楽曲データの記録中であった場合には、第１の実施の形態と同様、終端フラグ（FlagME）を検知するまで楽曲データをテンポラリメモリ２７に記録し、上書き禁止処理を行う。楽曲データの記録中でなかった場合には、既に、記録されている楽曲データを上書き禁止状態にする。
【００５３】
この後の処理は、第１の実施の形態と同様である。ユーザに対して楽曲購入の意思を確認し、ＷＷＷサーバ３にアクセスして、課金情報を送信するのである。課金処理後、制御部２３は、テンポラリメモリ２７に一時的に記録されている楽曲データを、メモリカード２９に保存する。
【００５４】
制御部２３は、テンポラリメモリ２７に記録されている楽曲データを、メモリカード２９に保存した後、テンポラリメモリ２７の上書き禁止を解除する。そして、再び、楽曲の先頭フラグ（FlagMU）を検知するまで待機し、先頭フラグを検知すると、楽曲の記録を開始するのである。
【００５５】
なお、テンポラリメモリ２７に１曲分の楽曲データが保存されている状態で、上記のように、ユーザによる保存指示が行われることなく、次の楽曲の先頭フラグ（FlagMU）を検知する場合には、テンポラリメモリ２７に対して次の楽曲の記録を開始する。つまり、図６に示すように、テンポラリメモリ２７には、先頭アドレスから１曲分の楽曲データが一時的に保存される。そして、保存指示が行われることなく、次の楽曲の放送が開始すると、テンポラリメモリ２７の先頭アドレスから新しい楽曲データを上書きするのである。つまり、ユーザは、楽曲の放送中あるいは、放送終了後、次の楽曲の放送が開始されるまでの間、一時的に記録していた楽曲をメモリカード２９に保存することが可能である。
【００５６】
｛第３の実施の形態｝
次に、本発明の第３の実施の形態について説明する。第３の実施の形態においては、図７に示すように、制御部２３に２つのテンポラリメモリ２７Ａ，２７Ｂが接続されている。受信装置２のその他の構成は、図１に示したものと同様である。
【００５７】
図８は、第３の実施の形態に係る放送信号５０を示す図である。第２の実施の形態の放送信号５０と同様、先頭フラグ（FlagMU）、終端フラグ（FlagME）、課金アクセス情報（CreditP）が多重されている。さらに、それに加えて、この実施の形態では、放送信号５０に多重された楽曲情報（InfoMU）が利用される。つまり、放送局１が備える送信装置１は、放送信号５０に各楽曲に対応した楽曲情報（InfoMU）を多重させている。楽曲情報には、曲名、アーティスト名、ジャンル名、曲の長さなどの情報が含まれている。
【００５８】
テンポラリメモリ２７Ａ，２７Ｂへの記録方式は、基本的には、第２の実施の形態と同様である。つまり、テンポラリメモリ２７Ａ，２７Ｂには、楽曲データのみが記録される。
【００５９】
まず、図９に示すように、放送信号５０を受信中に、１曲目の楽曲（ＭＵ１）の先頭フラグ（FlagMU）を検知すると、その楽曲（ＭＵ１）を、テンポラリメモリ２７Ａに一時的に記録する。
【００６０】
次に、２曲目の楽曲（ＭＵ２）の先頭フラグ（FlagMU）を検知すると、その２曲目の楽曲（ＭＵ２）を、テンポラリメモリ２７Ｂに一時的に記録する。このようにして、テンポラリメモリ２７Ａ，２７Ｂに、それぞれ１曲ずつ楽曲が記録される。この状態で、３曲目を受信すると、テンポラリメモリ２７Ａに３曲目の楽曲を上書きし、４曲目はテンポラリメモリ２７Ｂに上書きする、といったように交互に楽曲を上書きしていくのである。このとき、図９に示すように、各楽曲信号５１に多重されていた楽曲情報（InfoMU）も、楽曲とともに、テンポラリメモリ２７Ａ，２７Ｂに格納される。
【００６１】
そして、あるタイミングでユーザが操作部２４を操作して、楽曲の保存指示を行う。制御部２３は、テンポラリメモリ２７Ａ，２７Ｂに格納されているそれぞれの楽曲情報を抽出し、ユーザに対して、いずれの楽曲を保存するかの指示を促すのである。図１０は、モニタ２５に表示された楽曲情報を示す図である。このように、テンポラリメモリ２７Ａ，２７Ｂに格納されているそれぞれの楽曲情報を表示させることで、ユーザは、現在保存可能な楽曲の情報を参照することができる。
【００６２】
つまり、この実施の形態であれば、２つのテンポラリメモリ２７Ａ，２７Ｂが利用されているので、ユーザは、現在放送中を含め過去放送された２曲の楽曲の中から、保存する楽曲を選択することが可能である。もちろん、テンポラリメモリの数をさらに増やしても良い。たとえば、テンポラリメモリが４個用意されていれば、ユーザは、過去放送された４曲の中から保存する楽曲を選択することが可能である。この場合、制御部２３は、１番目から４番目のテンポラリメモリに順に１曲ずつ楽曲を記録していき、全てのテンポラリメモリに楽曲が記録されると、再び１番目のテンポラリメモリから楽曲を上書きしていくようにすればよい。
【００６３】
ユーザによって、どの楽曲を保存するかの選択が行われると、選択された楽曲が保存されているテンポラリメモリについては上書き禁止に設定する。また、ユーザによって保存用に選択されなかった楽曲が記録されていたテンポラリメモリについては、上書き禁止設定はされず、開放される。
【００６４】
この後の処理は、第１、第２の実施の形態と同様である。制御部２３は、課金アクセス情報（CreditP）に従って、ＷＷＷサーバ３にアクセスし、課金処理を実行するのである。そして、ユーザによって選択された楽曲をメモリカード２９に保存するのである。メモリカード２９への保存後は、保存された楽曲が記録されていたテンポラリメモリの上書き禁止が解除される。
【００６５】
｛第４の実施の形態｝
次に、本発明の第４の実施の形態について説明する。図１１は、第４の実施の形態に係る放送信号６０を示す図である。この放送信号６０には、楽曲信号６１、スペシャルコンテンツ信号６２、ＤＪ信号６３、ＣＭ信号６４が含まれている。そして、それぞれの信号には、信号の内容を示すフラグが多重されている。
【００６６】
まず、楽曲信号６１には、楽曲の先頭を示す先頭フラグ（FlagMU）と終端を示す終端フラグ（FlagME）が多重されている。スペシャルコンテンツ信号６２には、コンテンツの先頭を示す先頭フラグ（FlagTS）と終端を示す終端フラグ（FlagES）が多重されている。また、ＤＪ信号６３の先頭には、ＤＪフラグ（FlagDJ）が、ＣＭ信号６４の先頭には、ＣＭフラグ（FlagCM）が多重されている。
【００６７】
また、第４の実施の形態の受信装置２は、図１２に示すように、４つのテンポラリメモリ２７１，２７２，２７３，２７４を備えている。受信装置２のその他の構成は、図１で示したものと同様である。
【００６８】
テンポラリメモリ２７１は、楽曲データを記録するメモリであり、テンポラリメモリ２７２はスペシャルコンテンツを記録するメモリである。これらメモリは、第２の実施の形態と同様の形式で利用される。つまり、テンポラリメモリ２７１には、先頭フラグ（FlagMU）と終端フラグ（FlagME）を利用して、楽曲データのみが記録される。そして、次の楽曲が放送されると、新しい曲が上書きされる。テンポラリメモリ２７２には、先頭フラグ（FlagTS）と終端フラグ（FlagES）を利用して、スペシャルコンテンツのみが記録される。そして、次のスペシャルコンテンツが放送されると、新しいコンテンツが上書きされる。なお、スペシャルコンテンツとは、アーティストからのメッセージなど、楽曲に付随して提供されるコンテンツである。スペシャルコンテンツとしては、楽曲に付随したものに限らず、様々なコンテンツを提供してもよい。たとえば、アーティスト・俳優からファンへのメッセージ、珍しい動物の鳴き声、アニメのキャラクターの声、携帯電話などの着信音などで利用できる効果音や雰囲気を醸し出す音などが考えられる。
【００６９】
テンポラリメモリ２７３は、ＤＪの音声を記録するメモリであり、テンポラリメモリ２７４は、ＣＭを記録するメモリである。これらメモリには、ＤＪの音声やＣＭがリング構造で記録される。つまり、先頭アドレスから順にＤＪの音声やＣＭが順次記録されていき、最終アドレスに達すると、再び先頭アドレスに戻ってＤＪの音声やＣＭの記録を行うのである。なお、制御部２３は、ＤＪフラグ（FlagDJ）や、ＣＭフラグ（FlagCM）を検知すると、これらの放送データを、テンポラリメモリ２７３あるいはテンポラリメモリ２７４に記録する。そして、別の放送データのフラグを検知したところで、テンポラリメモリ２７３あるいはテンポラリメモリ２７４に対する記録を停止するのである。このような記録、停止を繰り返しながら、テンポラリメモリ２７３あるいはテンポラリメモリ２７４に対してリング構造で放送データを記録していくのである。
【００７０】
このような記録を行っている状態でユーザによって保存操作が行われると、制御部２３は、それぞれ以下のような処理を実行する。
【００７１】
まず、ユーザによって楽曲あるいはスペシャルコンテンツの保存指示が行われた場合には、第２の実施の形態と同様の処理を実行する。課金処理を行った後、テンポラリメモリ２７１あるいはテンポラリメモリ２７２に格納されていた楽曲あるいはスペシャルコンテンツをメモリカード２９に保存するのである。
【００７２】
なお、楽曲信号６１やスペシャルコンテンツ信号６２に、有料、無料の区別を示すフラグを多重させておいてもよい。そして、有料フラグが多重されている場合には、上記のように課金アクセス情報（CreditP）で指定されているアドレスにアクセスし、課金処理を実行する。そして、課金処理実行後に、メモリカード２９に楽曲あるいはコンテンツを格納するのである。もし、無料フラグが多重されている場合には、保存指示を受けてそのままメモリカード２９に保存すればよい。
【００７３】
ユーザによって、ＤＪ音声あるいはＣＭの保存指示が行われた場合、テンポラリメモリ２７３あるいはテンポラリメモリ２７４に格納されている最も古いデータから最新のデータまでを上書き禁止にした後、メモリカード２９に保存するのである。もし、テンポラリメモリ２７３，２７４に空き容量がある場合には、メモリフルになるまで記録を行った後、メモリカード２９に格納するようにしてもよい。
【００７４】
また、ユーザは操作部２４を操作して、テンポラリメモリ２７１，２７２に一時的に記録されている楽曲やスペシャルコンテンツを再度聴くための指示を与えることができる。これに応じて、制御部２３は、テンポラリメモリ２７１，２７２に一時的に記録されている楽曲あるいはスペシャルコンテンツを再生するのである。そして、再生が終了すると、ユーザに、保存を行うか否か、削除するか否かの判断をさせるのである。たとえば、モニタ２５に、「今、再生した楽曲を保存しますか？それとも削除しますか？」といったメッセージが表示させる。そして、ユーザによって保存指示が行われると、上記と同様、上書き禁止を設定した後、課金処理を行い、楽曲あるいはスペシャルコンテンツをメモリカード２９に保存するのである。一方、削除指示が行われた場合には、当該楽曲あるいはスペシャルコンテンツが格納されていたメモリを開放するのである。
【００７５】
上記のように、楽曲あるいはスペシャルコンテンツが有料の場合には、課金アクセス情報（CreditP）に従い、課金処理を行えばよい。これに対して、コンテンツが無料の場合であっても、ユーザがコピーワンス状態の解除を望む場合がある。楽曲信号６１などは、著作権保護のために、コピーワンス設定がされている。本実施の形態には、以下のような仕組みにより、コピーワンス設定を解除することが可能である。
【００７６】
図１３は、楽曲信号６１に、コピー解除アクセス情報（CponCanP）が多重されている様子を示している。制御部２３は、たとえば、無料の楽曲の保存指示が行われた後、このコピー解除アクセス情報（CponCanP）に記録されているアドレスに従って、インターネット経由でサーバにアクセスし、コピーワンス解除のための所定の手続きを行うのである。
【００７７】
たとえば、アンケートに回答する手続きなどを行うことで、コピーワンス解除の権利が得られる。そして、所定の手続きが終了すると、コピーワンス解除のための解除キーが受信装置２にダウンロードされるのである。そして、楽曲あるいはスペシャルコンテンツに対するコピーワンスを解除し、これら楽曲等をメモリカード２９に保存するのである。楽曲等をメモリカード２９に保存した後は、上記と同様、テンポラリメモリの記憶領域を開放するのである。
【００７８】
このコピー解除アクセス情報（CponCanP）は、第１〜第３の実施の形態の放送信号５０に含めるようにしてもよい。その場合であっても、受信装置２は、サーバにアクセスすることで、コピーワンス解除の手続きを実行することが可能である。
【００７９】
｛変形例｝
第４の実施の形態において、コピーワンスの解除処理について説明したが、第１〜第３の実施の形態において説明した課金処理の中で、コピーワンスの解除処理を行っても良い。つまり、各実施の形態において、課金処理により楽曲を購入するというプロセスを説明したが、この購入手続きに、コピーワンス解除購入権も含めた複数パターンの形態を持たせればよい。
【００８０】
１つの形態は、コピーワンス状態を維持したままの楽曲の購入である。つまり、ユーザは、課金処理により、楽曲をメモリカード２９に保存することが可能となるが、それ以外の媒体に楽曲をコピーすることはできない。
【００８１】
もう１つの形態は、コピーワンス解除キーの購入も含めた形態である。この場合、ユーザは、メモリカード２９に保存した楽曲を、さらに別の媒体にコピーすることも可能である。
【００８２】
さらに、もう１つの形態は、コピーワンス解除キーの購入と歌詞データ、ジャケット画像データなど付加情報を合わせて購入する形態である。この形態であれば、課金処理後に、保存した楽曲の歌詞データやアルバムジャケット画像データが受信装置２にダウンロードされるのである。この場合、ユーザは、メモリカード２９に保存した楽曲を、別の媒体にコピーして楽しむことや、当該楽曲に関する様々な付加情報を合わせて購入することができる。
【図面の簡単な説明】
【００８３】
【図１】地上デジタルラジオ放送のシステム構成と受信装置の機能ブロックを示す図である。
【図２】第１の実施の形態におけるテンポラリメモリに対する記録形式を示す図である。
【図３】第１の実施の形態における放送信号を示す図である。
【図４】第１の実施の形態におけるテンポラリメモリに対する楽曲の記録形式を示す図である。
【図５】第２の実施の形態における放送信号を示す図である。
【図６】第２の実施の形態におけるテンポラリメモリに対する楽曲の記録形式を示す図である。
【図７】第３の実施の形態におけるテンポラリメモリの構成を示す図である。
【図８】第３の実施の形態における放送信号を示す図である。
【図９】第３の実施の形態におけるテンポラリメモリに対する楽曲の記録形式を示す図である。
【図１０】保存する楽曲の選択画面を示す図である。
【図１１】第４の実施の形態における放送信号を示す図である。
【図１２】第４の実施の形態におけるテンポラリメモリの構成を示す図である。
【図１３】コピー解除アクセス情報が多重された放送信号を示す図である。
【符号の説明】
【００８４】
１    放送局
２    受信装置
２４    操作部
２５    モニタ
２７，２７Ａ，２７Ｂ，２７１〜２７４    テンポラリメモリ
２９    メモリカード
５０，６０    放送信号
５１，６１    楽曲信号
５２    非楽曲信号
６２    スペシャルコンテンツ信号
６３    ＤＪ音声信号
６４    ＣＭ信号
【図１】
2008092427.tif 000003
【図２】
2008092427.tif 000004
【図３】
2008092427.tif 000005
【図４】
2008092427.tif 000006
【図５】
2008092427.tif 000007
【図６】
2008092427.tif 000008
【図７】
2008092427.tif 000009
【図８】
2008092427.tif 000010
【図９】
2008092427.tif 000011
【図１０】
2008092427.tif 000012
【図１１】
2008092427.tif 000013
【図１２】
2008092427.tif 000014
【図１３】
2008092427.tif 000015